(57)【特許請求の範囲】
【請求項１】
患者人体図でユーザが指定する領域に関する患部空間情報を生成する患部空間情報生成部と、
医療用語を保存する医療用語データベース及び参考情報を保存する参考情報データベースのうち少なくともいずれか一を備える付加情報データベースと、
前記患部空間情報に、前記付加情報データベースから抽出した医療用語及び参考情報のうち少なくとも一種を組み合わせて患者医療情報を生成する患者医療情報生成部と、
前記患者医療情報生成部によって生成された前記患者医療情報を前記医療用語に変換する医療用語変換部と、を備え、
前記医療用語変換部は、
前記患者医療情報のうち患部空間情報に対応する患部領域を全部又は一部含む身体空間領域とマッピングされた医療用語と、前記患部領域と隣接した身体空間領域とマッピングされた医療用語と、前記患部領域を排除した身体空間領域とマッピングされた医療用語と、のうち少なくとも一種を前記医療用語データベースから抽出し、前記患者医療情報を抽出した前記医療用語の中から前記医療用語のマッピングされた身体空間領域のサイズ（dimension）の程度、又は抽出した医療用語のマッピングされた身体空間領域と患部領域との空間関係に応じていずれか一つに変換する、医療情報処理システム。
【請求項２】
前記患者医療情報生成部が、患部の有する意味の中から解剖学的な位置、サイズ、及び模様のうち少なくても一つを示す概念を前記患部空間情報で表現し、前記患部の有する意味の中から解剖学的な位置、サイズ、及び模様を除いた概念を前記付加情報データベースから抽出した付加情報で表現する、請求項１に記載の医療情報処理システム。
【請求項３】
前記医療用語及び前記参考情報が、所定身体空間領域とマッピングされ、前記医療用語データベース及び前記参考情報データベースにそれぞれ保存される、請求項１に記載の医療情報処理システム。
【請求項４】
前記医療情報処理システムが、ユーザが入力する身体空間領域とマッピングされた医療用語及び参考情報のうち少なくとも一つを前記付加情報データベースから検索して抽出する検索部をさらに備える、請求項３に記載の医療情報処理システム。
【請求項５】
前記医療情報処理システムが、前記患者人体図から、前記医療用語とマッピングされた身体空間領域から、ユーザが指定した関心領域と、患部領域を一部又は全部含む領域と、前記患部領域と隣接した領域と、前記患部領域を排除する領域とのうち少なくとも一に対する情報を抽出する、請求項３に記載の医療情報処理システム。
【請求項６】
前記医療情報処理システムが、正常な人体の人体図を保存する人体図データベースをさらに備え、前記患者医療情報生成部が、前記人体図データベースから、前記患者の性別、年齢、身長、地域、及び解剖学的変異のうち少なくとも一つを含む患者情報に対応する人体図を抽出した後、前記患者の患部領域に対する患部空間情報と、抽出した人体図のうち前記患部領域と対応する身体領域の空間情報との差異を認識し、前記患者の患部を説明する情報、前記患部の疾患状態又は程度を示す情報、及び前記患部の治療に関連する情報のうち少なくとも一種を取得する、請求項１に記載の医療情報処理システム。
【請求項７】
前記患部空間情報が、前記患者人体図でユーザが指定した少なくとも一つの身体領域に関してユーザの演算命令を遂行した結果で示される患部領域の空間情報と、前記ユーザの演算命令による演算式とのうち少なくとも一つを含む、請求項１に記載の医療情報処理システム。
【請求項８】
前記医療情報処理システムが、患部モデルを保存する患部モデルデータベースをさらに備え、前記患部空間情報生成部が、前記患部モデルデータベースからユーザが選択した患部モデルを抽出した後、抽出した患部モデルの空間領域又は抽出した患部モデルを修正した空間領域を前記患部空間情報として生成する、請求項１に記載の医療情報処理システム。
【請求項９】
前記患部空間情報生成部が、前記患者人体図でユーザが入力した図形若しくは２以上の図形の組合せ、又は２以上の図形の関係で示される領域に関して患部空間情報を生成する、請求項１に記載の医療情報処理システム。
【請求項１０】
前記患部空間情報生成部が、二次元の患者人体図でユーザが指定した領域を三次元の空間座標に置換して患部空間情報を生成する、請求項１に記載の医療情報処理システム。
【請求項１１】
前記医療情報処理システムが、前記患部空間情報及び前記患者医療情報のうち少なくとも一つを画面に表示する表示部をさらに備え、前記表示部が、前記患者人体図に関して、前記患者の患部領域に対して既設定された少なくとも一つの視野角を確認し、前記患部領域を前記既設定された視野角で画面に表示する、請求項１に記載の医療情報処理システム。
【請求項１２】
前記医療情報処理システムが、前記患部空間情報及び前記患者医療情報のうち少なくとも一つを画面に表示する表示部をさらに備え、前記表示部が、前記患者人体図において、ユーザの入力又は医療用語に応じて既設定された臓器のみを画面に表示する、請求項１に記載の医療情報処理システム。
【請求項１３】
前記医療情報処理システムが、前記患者医療情報を外部装置に転送する通信部をさらに備える、請求項１に記載の医療情報処理システム。
【請求項１４】
前記医療情報処理システムが、所定患者に対する患者人体図を形成する患者人体図形成部をさらに備える、請求項１に記載の医療情報処理システム。
【請求項１５】
前記医療情報処理システムが、人体図を保存する人体図データベースをさらに備え、前記患者人体図形成部が、前記人体図データベースから、前記患者の性別、年齢、身長、地域、及び解剖学的変異のうち少なくとも一つを含む患者情報に対応される人体図を抽出するか、抽出した人体図を前記患者に合わせて修正するか、或いは抽出した様々な人体図を組み合わせて前記患者人体図を形成する、請求項１４に記載の医療情報処理システム。
【請求項１６】
前記人体図が、固有識別番号がマッチングされて前記人体図データベースに保存される、請求項１５に記載の医療情報処理システム。
【請求項１７】
前記医療情報処理システムが、前記患者医療情報生成部が生成した患者医療情報を解析或いは修正する患者医療情報処理部をさらに備える、請求項１に記載の医療情報処理システム。
【請求項１８】
前記患者医療情報が、一部又は全部にコードが付与され、前記コードが、前記コードと対応する患者医療情報の内容とマッピングされる、請求項１に記載の医療情報処理システム。
【発明の詳細な説明】
【技術分野】
【０００１】
本発明は、医療情報処理技術に関し、さらに詳しくは、患者の患部領域を空間情報として表現した医療情報処理システムに関する。
【背景技術】
【０００２】
近年では、コンピューター技術の進展により、医学においても、コンピューターを用いて医療情報を処理しようとする試みが行なわれている。その中の一つが、医学に由来する概念又は用語を、コンピューターで活用することができるコードでコード化する方法である。このような医療コード体系の代表的な例としては、ＩＣＤ１０がある。ＩＣＤ１０は、各種の診断名をコード化したものであり、アルファベット文字と数字との組合せによって疾病を分類するために用いられている。また、医療コード体系は、ＩＣＤ１０の他にも、ＩＣＤ−９、ＵＭＬＳ（Unified Medical Language System）、ＳＮＯＭＥＤ  ＣＴ（Systematized Nomenclature of Medicine-Clinical Terms）等、様々な医療コード体系が存在する。
【０００３】
しかしながら、従来の医療コード体系は、医療用語（又は、概念）を表記する各コード間の位置的な相互関係がきちんと定立されていないといった問題点がある。例えば、ＩＣＤ１０におけるＤ１２．０が示す患部の位置は、一見Ｄ１６．８が示す患部の位置よりＤ１１．０が示す患部の位置にさらに近いと考えられ得る。しかしながら、Ｄ１２は、直腸（Rectum）で生じた陽性腫瘍を示し、Ｄ１６．８は、尾骨（Coccyx）で生じた陽性腫瘍を示し、Ｄ１１．０は、唾液腺で生じた腫瘍を示すものであり、Ｄ１２．０が示す患部の位置は、Ｄ１１．０が示す患部の位置よりＤ１６．８が示す患部の位置に極めて近い箇所に位置する。このように、従来の医療コード体系では、各コード間の相互関係を直観的に理解することができないといった問題点がある。
【０００４】
また、従来の医療コード体系（又は、医療用語体系）は、実際に様々な医療環境で発生する医療情報を正確且つ細密に表現することができないといった問題点がある。例えば、脊椎の骨を切り抜いた程度を表現する概念としては、全切除（Total Laminectomy）、亜全切除（Subtotal Laminectomy）、及び部分切除（Partial Laminectomy）等に区分することができるが、様々な手術において、脊椎の骨を切り抜いた程度を単に三つの分類で区分することは、表現の程度があまりにも不充分であり、医者の主観的な判断に依存するためにその程度を正確に表現することができないといった問題点がある。
【０００５】
近年では、ＣＴ（Computed Tomography）やＭＲＩ（Magnetic Resonance Imaging）等の診断機器及び医学の発達により、患者の患部位置及び手術の際に除去された部分等をごく微細に確認することができるのに対して、これに関する患者の患部位置、手術程度、及び手術状態等の医療情報を表現する医療用語体系（又は、医療コード体系）がこれを後押しできていないのが実情である。この場合、医学技術の発達によって実際医療環境で発生する医療情報をコンピューター等のデジタル処理機器が認識可能な表現として入力することができず、他の病院と医療情報を交換することもできないといった限界がある。
【０００６】
例えば、血圧は、血圧をはかるバンドを患者の腕に巻きつけて測定するが、この時、腕のどの位置にカフ（Cuff）を装着して測定したかによって血圧測定値が変化する。ところが、現在の医療用語体系では、カフを装着した位置を精緻に描写することができない。よって、単に血圧測定値のみを一病院から他の病院に伝達することとなり、患者の血圧状態を正確且つ詳細に伝達することができないといった限界がある。
【０００７】
なお、医療コード体系は、医学技術の発展に伴って医療コード体系を更新する際に、所定コード（又は、概念）が消失するか、或いは他のコード（又は、概念）に置換されることが頻繁に生じる。この時、医療コード体系を更新する過程において、医療情報が消失されるか、或いはその意味が毀損される等の問題点が発生する。
【発明の概要】
【発明が解決しようとする課題】
【０００８】
本発明は、様々な医療環境で生じる各種医療情報を正確且つ細密に表現することができる医療情報処理システムを提供する。
【課題を解決するための手段】
【０００９】
本発明の一実施形態による医療情報処理システムは、患者人体図でユーザが指定する領域に対する患部空間情報を生成する患部空間情報生成部と、前記患部空間情報を含む患者医療情報を生成する患者医療情報生成部とを備える。
【発明の効果】
【００１０】
本発明の実施形態によると、所定患者の患部に対する患部空間情報を含んで患者医療情報を生成することで、従来の医療用語体系では表現することができなかった患者医療情報を正確且つ細密に表現することができる。それによって、患者の状態を評価する際に医者の主観の介入を最小限に抑え、より客観的な評価を下すことができる。
【００１１】
そして、従来の医療用語体系による患者医療情報の曖昧さを解消し、それによって患者医療情報を他の医療機関に伝達する過程において生じる誤解を払拭することができ、医療機関の間で患者医療情報を交換する際の相互運用性（Interoperability）を向上させることができる。また、患部空間情報及び医療用語を組み合わせて患者医療情報を生成することで、従来の医療用語体系を補い、且つ医療情報処理能力を向上させることができる。
【００１２】
また、所定の患部領域と付加情報（医療用語及び参考情報）とをマッピングして保存することで、医療情報処理システムにおいて様々な演算に基づく人工知能を発揮させることができ、人工知能の判断能力を向上させることができる。すなわち、患部空間情報を通じて身体領域内における身体臓器又は組織間の距離の遠近、患部のサイズ、患部領域内に所定身体臓器若しくは組織が含まれるか否か等を表現することができるため、様々な論理を備えた人工知能を具現することができる。
【００１３】
また、従来の医療用語体系を補完するか、或いは代わりに医者間、病院間、国家間等の情報交換に用いることができ、その場合、医療情報を従来の語源に基づいたコードに変換しなければならなかった手間を低減するのみならず、医療用語又はコードでは描写が困難であった医療情報を自由に表現することができる。
【図面の簡単な説明】
【００１４】
【図１】本発明の一実施形態による医療情報処理システムの構成を示した図である。
【図２】本発明の一実施形態による患部空間情報生成部が患者人体図で患部空間情報を生成する状態を概略的に示した図である。
【図３】本発明の患部空間情報生成部が患者人体図で患部空間情報を生成する第１の実施形態を示した図である。
【図４】本発明の患部空間情報生成部が患部領域を代表する参考点に対する空間データ及びこれに対するマッピングデータを用いて患部空間情報を生成する状態を示した図である。
【図５】身体の内臓臓器のうち胃に対する二次元の患者人体図を示した図である。
【図６】身体中の円筒状構造物に対して患部空間情報を生成する状態を示した図である。
【図７】本発明の患部空間情報生成部が患部モデルを用いて所定患者の患部領域に対する患部空間情報を生成する状態を示した図である。
【図８】本発明の実施形態において、身体空間領域及びマッピングされた医療用語を抽出する状態を示した図である。
【図９】本発明の患者医療情報生成部が患部空間情報を用いて患者医療情報を生成する一実施形態を示した図である。
【図１０】本発明の患者医療情報生成部が患部空間情報を用いて患者医療情報を生成する他の実施形態を示した図である。
【図１１】本発明の患者医療情報生成部が患部空間情報を用いて患者医療情報を生成する更なる実施形態を示した図である。
【図１２】本発明の患者医療情報生成部が患部空間情報を用いて患者医療情報を生成する更なる実施形態を示した図である。
【図１３】身体臓器の表面に腫瘍が発生した場合、患者医療情報生成部が患部空間情報のみを用いて患者医療情報を生成する状態を示した図である。
【図１４】左手の親指が切断された場合、患者医療情報生成部が患部空間情報のみを用いて患者医療情報を生成する状態を示した図である。
【図１５】患者人体図の側弯症がある脊椎と人体図の正常な脊椎とを比較した図である。
【図１６】本発明の表示部が患者人体図に設定された視野角で患者人体図を画面に表示した状態を示した図である。
【図１７】本発明の検索部が患部周辺の関心領域を拡大して患部周辺の臓器を確認する状態を示した図である。
【図１８】本発明の一実施形態による医療用語変換部が患者医療情報を医療用語に変換する状態を説明するための図である。
【発明を実施するための形態】
【００１５】
以下、図１〜図１８を参照して、本発明の医療情報処理システムの具体的な実施形態を説明する。しかしながら、これは例示としての実施形態に過ぎず、本発明はこれらに限定されるものではない。
【００１６】
本発明の説明において、本発明に係る公知技術に関する具体的な説明が本発明の要旨をかえって不明確にする可能性があると判断される場合は、その詳細な説明を省略することにする。そして、後述する用語は、本発明における機能を考慮して定義した用語であって、これは使用者、運用者の意図又は慣例等によって変わり得る。従って、この定義は、本明細書の全般にわたって記載された内容に基づいて行われるべきものである。
【００１７】
本発明の技術的思想は、特許請求の範囲の記載によって定められ、以下の実施形態は、進歩的な本発明の技術的思想を本発明が属する技術分野における通常の知識を有する者に効率的に説明するための一手段に過ぎない。
【００１８】
図１は、本発明の一実施形態による医療情報処理システムの構成を示した図である。
【００１９】
図１を参照すると、医療情報処理システム１００は、患者人体図形成部１０２と、患部空間情報生成部１０４と、患者医療情報生成部１０６と、表示部１０８と、検索部１１０と、医療用語変換部１１２と、通信部１１４と、患者医療情報処理部１１５と、人体図データベース１１６と、患部モデルデータベース１１８と、付加情報データベース１２０と、患者データベース１２２とを備える。ここで、付加情報データベース１２０は、医療用語データベース１２５及び参考情報データベース１２７を備える。そして、患者データベース１２２は、患者情報データベース１３１と、患者人体図データベース１３３と、患部空間情報データベース１３５と、患者医療情報データベース１３７とを備える。
【００２０】
患者人体図形成部１０２は、所定患者に対する患者人体図を形成する。本明細書において、患者は、実際疾病に実際罹患されて病院を訪問した患者のみならず、潜在的又は予備的患者（疾病にかかる可能性のある一般個人）を全て含む。また、患者は、仮想の患者（医療シミュレーションプログラム又はグラフィックプログラム等のような仮想環境下で創造した患者）を含んでもよい。患者人体図は、患者の物理的及び解剖学的情報（例えば、消化系、神経系、循環系、筋骨格系、筋肉、及び骨等）を二次元又は三次元の仮想空間上で表現したものをいう。例えば、患者人体図は、患者の物理的及び解剖学的情報を、平面直交座標系（Cartesian Coordinate）、平面傾斜座標系（Plane Oblique Coordinate）、平面極座標系（Plane Polar Coordinate）、三次元直交座標系（Three dimensional Cartesian Coordinate）、三次元傾斜座標系（Three-dimensional Oblique Coordinate）、円筒座標系（Cylindrical Coordinate）、及び球座標系（Spherical Coordinate）等のような様々な座標系上に表現したものをいう。
【００２１】
患者人体図形成部１０２は、全身体に対する患者人体図を形成することもでき、身体一部に対する患者人体図を形成することもできる。患者人体図形成部１０２は、患者別に一以上の患者人体図を患者人体図データベース１３３に保存することができる。患者人体図形成部１０２は、患者人体図全体を患者人体図データベース１３３に保存することもでき、患者人体図の一部のみを患者人体図データベース１３３に保存することもできる。また、患者人体図形成部１０２は、患者人体図を、例えば、臓器別、患部領域別、疾患別、及び期間別（時期別）等で患者人体図データベース１３３に保存することもできる。
【００２２】
患者人体図形成部１０２は、例えば、（１）患者を撮影した映像を用いるか、（２）既存の人体図を用いて、所定患者に対する患者人体図を形成することができる。以下、これに関して詳細に説明する。
【００２３】
（１）患者を撮影した映像を用いて患者人体図を形成する場合
患者人体図形成部１０２は、例えば、ＣＴ（Computed Tomography）、ＭＲＩ（Magnetic Resonance Imaging）、及びＰＥＴ（Positron Emission Tomography）等のような撮影検査機器によって患者を撮影した複数の二次元映像の映像処理を行うことで、三次元患者人体図を形成することができる。一般的に、ＣＴ、ＭＲＩ、及びＰＥＴ等を用いて患者を単層撮影すると、ｘｙ平面の二次元映像が得られる。ここで、ＣＴ、ＭＲＩ、及びＰＥＴ等を用いて患者の頭から爪先までｚ軸に移動しながら患者を連続撮影すると、患者の頭から爪先までｘｙ平面の複数の二次元映像が得られる。そして、患者の頭から爪先までｘｙ平面の複数の二次元映像を相互結合する映像処理を遂行すれば、当該患者の全身体に対する三次元患者人体図を形成することができる。
【００２４】
（２）既存の人体図を用いて患者人体図を形成する場合
患者人体図形成部１０２は、人体図データベース１１６に保存された人体図を用いて、所定患者に対する患者人体図を形成することができる。人体図は、特定体型を有する人の物理的及び解剖学的情報を二次元又は三次元の仮想空間上で表現したものをいう。人体図データベース１１６には、性別（すなわち、男性又は女性）、年齢別、身長別（すなわち、背丈）、地域別（又は、国家別）、及び解剖学的変異（Anatomical Variation）別等で人体図が保存されてもよい。解剖学的変異とは、病的な場合ではないが、正常な人体で観察される解剖学的な差異をいう。例えば、脳の中大脳動脈（Middle Cerebral Artery）の場合、枝の数に解剖学的変異が示され得る。一般人の半数は３本の枝を有するが、一般人の１／５は２本の枝を有し、一般人の１／５は４本の枝を有し、残りは５本の枝を有する等、解剖学的変異がみられる。潜在的（又は、予備的）患者及び仮想の患者の場合、撮影映像が存在しないため、患者人体図形成部１０２は、人体図データベース１１６に保存されている人体図を用いて、患者人体図を形成することができる。
【００２５】
人体図データベース１１６には、全身体のみならず、身体一部に関する人体図が保存されてもよい。人体図は、人体内の臓器又は組織間のサイズや関係が実物の人体と同一の割合で形成されたものであってもよいが、これに限定されるものではなく、人体の物理的及び解剖学的情報を簡略に描写したものであってもよい。人体図は、三次元形態の人体図であってもよく、二次元形態の人体図であってもよい。そして、各人体図は、固有識別番号（又は、固有識別コード）がマッチングされて保存されてもよい。この場合、各医療機関又は国家間において人体図を共有することができ、相互交換することができる。このように、各人体図に対する固有識別番号が付与される場合、各医療機関又は国家間において、各人体図を標準化して用いることができる。
【００２６】
患者人体図形成部１０２は、患者の性別、年齢、身長、地域、及び解剖学的変異等の患者情報を確認した後、人体図データベース１１６から患者情報に対応される人体図を抽出して、患者人体図を形成することができる。この場合、抽出された人体図は、当該患者の物理的及び解剖学的情報を最も近接して表現したものとなる。例えば、医者が、診察中の患者の患者情報に対応する人体図を人体図データベース１１６から抽出し、患者人体図を形成することができる。潜在的（又は、予備的）患者である一般個人が、自分の個人情報に対応する人体図を人体図データベース１１６から抽出し、患者人体図を形成することもできる。医者が、コンピューター上の仮想環境で仮想患者を作成した後、仮想患者に対応する人体図を人体図データベース１１６から抽出し、患者人体図を形成することもできる。
【００２７】
患者人体図形成部１０２は、抽出された人体図を当該患者に合わせて修正され、患者人体図を形成することができる。例えば、当該患者の左手指が６本である場合、患者人体図形成部１０２は、抽出された人体図において左手部分を当該患者に合わせて修正し、患者人体図を形成することができる。そして、当該患者の中大脳動脈の枝が５本であるが、抽出した人体図の枝が３本である場合、人体図データベース１１６から中大脳動脈の枝が５本の人体図部分をさらに抽出した後、各人体図を組み合わせて患者人体図を形成することもできる。
【００２８】
また、患者人体図形成部１０２は、患者情報を通じて、人体図データベース１１６から当該患者の物理的及び解剖学的情報に最も類似した人体図を選定し、選定された人体図そのものを当該患者の患者人体図として用いることができる。この場合、人体図と患者人体図とは同じ意味で用いられる。
【００２９】
このように、本明細書において、患者人体図形成部１０２が患者人体図を形成するということは、（１）患者を撮影した映像を用いて形成する場合、（２）人体図を修正して形成する場合、（３）複数の人体図を組み合わせて形成する場合、及び（４）人体図を抽出してそのまま用いる場合を全て含むものとする。すなわち、本明細書において、患者人体図は、新たに形成されたもの、従来の人体図を修正したもの、従来の人体図を組み合わせたもの、及び従来の人体図をそのまま用いるもの等を全て含む。その時、従来の人体図をそのまま用いる場合には、当該人体図の原本そのものを意味してもよい。
【００３０】
患部空間情報生成部１０４は、患者人体図でユーザ（例えば、医者）が指定する領域に関する患部空間情報を生成する。患部空間情報は、患者人体図でユーザが指定する患部領域を空間座標情報で示したものであってよい。例えば、患部空間情報は、患者人体図で患部領域を、点（Point）、線（Lines）、面（Surface）、三角形、四角形、多角形（Polygon）、ピクセル（Pixel）、ボクセル（Voxel）、ボリューム（Volumes）、方程式（Sphere、Ellipsoid等）、三次元図形（3 dimensional figures）、三次元メッシュ（3 dimensional mesh）、或いはこれらの集合や関係を通じて空間座標情報として示したものであってよい。患部領域を表現する際に、例えば、数式（Equations）、ベクター（Vector）、配列（Array）、行列（Matrix）、及び行列式（Determinant）等が用いられてもよい。ここで、患部領域は、実際に疾病が生じた部分のみを意味するものではなく、その他のユーザの関心領域（例えば、患部領域ではないものの、血圧を測定する位置、血液を採取する位置、患部領域に関する領域、手術の際に切開される部位、縫合を行う部位、聴診を行う部位、触診を行う部位、結紮術部位、及び医者が観察する部位等）も含む。患部空間情報には、患部空間情報を生成するのに用いられた患者人体図の固有識別情報が含まれてもよい。患部空間情報生成部１０４は、生成された患部空間情報を表示部１０８を介して画面に表示することができる。
【００３１】
図２は、本発明の一実施形態による患部空間情報生成部が、患者人体図で患部空間情報を生成する状態を概略的に示す図である。図２を参照すると、患部空間情報生成部１０４は、患者人体図１０でユーザが指定する領域５０に関する患部空間情報を生成することができる。例えば、患者人体図１０で右踵を基準点とする場合、基準点を基準にして、ユーザ指定領域５０を空間座標情報で示すことができる。ここでは、基準点が右踵であると説明したが、これに限定されるものではなく、それ以外の地点（例えば、頭頂部、目、鼻、口、へそ、及び肛門等）を基準点とすることもできる。空間座標情報は、一次元座標情報、二次元座標情報、及び三次元座標情報を含んでもよい。患部空間情報によると、患者人体図において患部領域の位置、深さ、サイズ、面積、及び嵩等を正確且つ詳細に理解できる。
【００３２】
患部空間情報生成部１０４は、生成された患部空間情報を患者別で患部空間情報データベース１３５に保存することができる。しかしながら、これに限定されるものではなく、患部空間情報生成部１０４は、生成された患部空間情報を患部モデルデータベース１１８に保存することもできる。所定患者の患部領域に関して生成された患部空間情報を患部モデルで保存した場合、それと同一又は類似の患部領域を有する他の患者に適用することができる。また、患部空間情報生成部１０４は、生成された患部空間情報を、例えば、時期別（期間別）、臓器別、患部別、及び診療科別等に分けて患部空間情報データベース１３５に保存することもできる。
【００３３】
ここで、ユーザは、画面に表示された患者人体図において、ユーザインターフェース１４１を介し、少なくとも一つの患部領域を指定することができる。そうすれば、患部空間情報生成部１０４は、ユーザが指定する領域に対する患部空間情報を生成し、ユーザが指定する領域を空間座標情報で示す。ユーザインターフェース１４１は、ユーザの命令の入力を受けて医療情報処理システム１００に伝達する機器であり、例えば、マウス又はキーボード等であってよい。
【００３４】
患部空間情報生成部１０４は、例えば、合集合、交集合、余集合、ＡＮＤ、ＯＲ、ＮＯＴ、足し算、引き算、掛け算、割り算、拡大、縮小、回転、位置移動、行列式、行列変換、ｉｆ、ｔｒｕｅ、ｆａｌｓｅ、＜、＞、，、＆＆、文字列特殊記号、及び文字列等のような様々な数学演算子及びプログラミング演算子を用いて、患部領域に対する患部空間情報を生成することができる。
【００３５】
例えば、患部領域が頭部及び左腕の場合、ユーザは、ユーザインターフェース１４１を介して患者人体図で頭部領域（Ｘ）と左腕領域（Ｙ）とを指定した後、この二つの領域に関する合集合を求める演算命令を入力することができる。この場合、患部空間情報生成部１０４は、（ＸＹ）が示す患部領域に対する患部空間情報を生成することができる。ここで、演算子は、同一の概念を表現するための他の記号（又は、文字列）に代置されてもよい。例えば、「，」の代りにｕｎｉｏｎ又は＠を用いて、Ｘ  ｕｎｉｏｎ  Ｙ又はＸ＠Ｙで表現することができる。患部空間情報は、（ＸＹ）が示す患部空間（領域）のみならず当該演算式、すなわち、（ＸＹ）も含むことができる。しかしながら、これらに限定されるものではなく、患部空間情報は、当該演算式のみを含むこともできる。すなわち、患部空間情報が、（ＸＹ）が示す患部領域の空間座標全体に対する情報を含むものではなく、（ＸＹ）という演算式そのもののみを含んでもよい。ここで、演算式は、数学演算子及びプログラミング演算子のみならず、演算子そのものが使用されなくても、当該演算式の有する意味を示す文字列、プログラムミング言語、データベースフィールド、及びクエリー等を含む。
【００３６】
患部空間情報生成部１０４は、（ＸＹ）が示す患部領域に関する患部空間情報のみを別途の保存空間（例えば、患部モデルデータベース１１８）に保存することができる。この場合、患部空間情報生成部１０４は、別途の演算式がなくても、当該患部領域に関する患部空間情報を抽出して用いることができる。
【００３７】
なお、患者人体図で所定患部領域（例えば、頭部）は、当該患部領域を成す多くの頂点及び面を含む。ここで、当該患部領域を成す多くの頂点及び面を空間情報で表現すると、データ量が多くなる。それ故に、予め患者人体図で頭部領域及び左腕領域等の空間を定義した後、予め定義された頭部領域と予め定義された左腕領域とに対する合集合を通じて当該患部領域を表現すると、データ量を著しく低減することができる。このように、演算子を用いて患部空間情報を生成する場合、保存されるデータ量を最小限にすると共に、複雑な患部領域を簡単に表現することができる。
【００３８】
患部空間情報生成部１０４が、患者人体図でユーザが指定する領域に関する患部空間情報を生成する具体的な方式を説明すると、以下のとおりである。しかしながら、患部空間情報生成部１０４が患部空間情報を生成する方式はこれらに限定されるものではなく、その他の様々な方式で患部空間情報を生成することができることはいうまでもない。
【００３９】
＊実施形態１
患部空間情報生成部１０４は、画面に表示された三次元患者人体図において、ユーザがユーザインターフェース１４１を介して入力した図形若しくは２以上の図形の組合せ、又は２以上の図形の関係で示される領域（すなわち、患部領域）に対する患部空間情報を生成することができる。すなわち、ユーザは、図形若しくは２以上の図形の組合せ、或いは２以上の図形の関係を通じて、画面に表示された患者人体図で患者の患部領域を指定することができる。例えば、ユーザは、球（Sphere）、円柱（Cylinder）、楕円柱（Elliptic Cylinder）、円錐（Elliptic Cone）、ピラミッド（Pyramid）、四面体（Tetrahedron）、八面体（Octahedron）、十二面体（Dodecahedron）、及び二十面体（Icosahedron）等の図形若しくはこれらの組合せ、又は関係を通じて患者の患部領域を指定することができる。しかしながら、図形の種類がこれらに限定されるものではなく、その他の様々な種類の図形を用いることができる。
【００４０】
例えば、ユーザが、球（Sphere）という図形を通じて患部領域を指定する場合を説明すると、ユーザは、ユーザインターフェース１４１を介して球の中心点座標（x, y, z）及び球の半径（r）を入力して、患部領域を指定することができる。この場合、患部空間情報生成部１０４は、球（Sphere）で表現される患部領域に関して患部空間情報を生成することができる。
【００４１】
図３は、本発明の患部空間情報生成部が、患者人体図で患部空間情報を生成する第１の実施形態を示した図である。ここでは、腰椎４−５番椎間板ヘルニアに関して患部領域を指定する場合を示す。腰椎４−５番椎間板ヘルニアの平面図を示したところ、図面上のすべての地点のｚ座標は同一である。腰椎４−５番椎間板ヘルニア構造物の中心を基準点にした。
【００４２】
図３の（ａ）を参照すると、ユーザは、ユーザインターフェース１４１でｘ座標及びｙ座標を入力し、腰椎椎間板ヘルニア（Lumbar Herniated Nucleus Pulposus）が生じた地点を指定することができる。例えば、患部領域が球の形態を有するものであれば、ユーザは、患部領域を球の中心点座標（x, y, z）及び球の半径（r）で表現することができる。この時、患部領域は（x, y, z, r）で表現することができる。例えば、患部領域の中心点座標が（0.9, -1.6, 2.3）であり、その半径のサイズが０．４である場合、患部領域は、（0.9, -1.6, 2.3, 0.4）で表現することができる。又は、患部領域は、「(0.9, -1.6, 2.3) size(0.4)」で表現することもできる。患者人体図の固有識別情報が＃ｈｕ１４２８の場合、患部空間情報は、「(0.9, -1.6, 2.3, 0.4) by map #hu1428」で表示することができる。ここで、空間座標は、患部が位置する臓器の臓器座標系（すなわち、ローカル座標系）を用いた。臓器座標系は、患者の全身体を表す全身座標系に置換することができる。
【００４３】
図３の（ｂ）を参照すると、患部領域が雪だるま状の椎間板ヘルニア片を有する場合、半径が同一であるか若しくは互いに異なる２個の球を組み合わせて患部領域を指定することができる。患部領域は、中心点座標（x1, y1, z）及び半径（r1）である第１の球Ｓ１と、中心点座標（x2, y2, z）及び半径（r2）である第２の球Ｓ２との合集合で表現することができる。すなわち、患部領域は、（x1, y1, z, r1）（x2, y2, z, r2）で表現することができる。例えば、第１の球Ｓ１の中心点座標が（0.9, -1.6, 2.3）で、その半径のサイズが０．４であり、第２の球Ｓ２の中心点座標が（0.6, -2.0, 2.4）で、その半径のサイズが０．４７である場合、患部領域は、（0.9, -1.6, 2.3, 0.4）（0.6, -2.0, 2.4, 0.47）で表現することができる。この場合、患部領域は、２つの球の中心点座標及び２つの球の半径のみで表現することができるため、データ量を低減すると共に、患部空間情報を効率的に表現することができる。
【００４４】
図３の（ｃ）を参照すると、患部領域が、第１の球Ｓ１と第２の球Ｓ２とが合算された形態から第２の球Ｓ２が除去された形状である場合、患部領域は、（x1, y1, z, r1）（x2, y2, z, r2）Cで表現することができる。当該患部領域を含むデータベースフィールドの名前をｉｎｃｌｕｓｉｏｎ＿ｍｏｄｅｌとし、当該患部領域を除くデータベースフィールドの名前をｅｘｃｌｕｓｉｏｎ＿ｍｏｄｅｌとした場合、ｉｎｃｌｕｓｉｏｎ＿ｍｏｄｅｌというフィールドに（x1, y1, z, r1）を保存し、ｅｘｃｌｕｓｉｏｎ＿ｍｏｄｅｌというフィールドに（x2, y2, z, r2）をそれぞれ保存して、同一の概念を表現することもできる。
【００４５】
ここでは、患部空間情報生成部１０４が、ユーザの入力に応じて数式を用いて図形を形成し、当該図形で表現される患部領域に対する患部空間情報を生成する場合を一例として挙げて説明したが、これに限定されるものではなく、患部空間情報生成部１０４は、ユーザの入力に応じてメッシュ又はポリゴンを用いて図形を形成し、当該図形で表現される患部領域に対する患部空間情報を生成することもできる。例えば、ユーザは、３Ｇスタジオ、ＭＡＸ、ＡＵＴＯ  ＣＡＤ等のようなグラフィックプログラム上で患者人体図のファイルを開いた後、患者人体図で患部領域を指定することができる。前記グラフィックプログラムは、メッシュ又はポリゴンのような単位図形を提供するため、ユーザは、メッシュ又はポリゴンを通じて図形を形成して患部領域を指定することができ、患部空間情報生成部１０４は、当該患部領域に対する患部空間情報を生成することができる。
【００４６】
このように、メッシュ及びポリゴンのような単位図形を用いて患部領域を指定する場合、患部空間情報は、単位図形を構成するすべての点（Point）に対する空間データ及び各点間の関係に対するデータを含んでもよい。しかしながら、これらに限定されるものではなく、患部空間情報は、当該患部領域を構成するすべての点に対する空間データのうち、当該患部領域を代表する少なくとも一つの参考点（例えば、当該患部領域の中心点）に対する空間データ及び前記参考点と当該患部領域との関係を示すマッピングデータのみを含んでもよい。この場合、参考点に対する空間データ及びマッピングデータのみで当該患部領域を簡単に表現することができる。
【００４７】
患部空間情報データベース１３５には、患部空間情報による領域の全体空間データが保存されていてもよく、当該患部領域を代表する参考点に対する空間データが、当該患部領域とマッピングされて保存されてもよい。すなわち、患部空間情報生成部１０４は、ユーザが指定する患部領域の全体空間データを患部空間情報にすることもでき、ユーザが指定する患部領域を代表する参考点に対する空間データ及びマッピングデータを患部空間情報とすることもできる。この時、患部空間情報生成部１０４は、ユーザが指定する患部領域の全体空間データを、当該患部領域を代表する参考点に対する空間データとマッピングさせて患部空間情報データベース１３５に保存することができる。
【００４８】
図４は、本発明の患部空間情報生成部が、患部領域を代表する参考点に対する空間データ及びこれに対するマッピングデータを用いて患部空間情報を生成する状態を示した図である。
【００４９】
図４を参照すると、脊椎椎間板ヘルニア１５４の隣近に様々な模様、サイズ、及び位置を有するいくつかの患部１５１−１、１５１−２、１５１−３、１５１−４、１５１−５を、参考点に対する空間データ及びこれに対するマッピングデータを用いてそれぞれ表現することができる。ここで、各患部１５１−１、１５１−２、１５１−３、１５１−４、１５１−５の参考点は、各患部１５１−１、１５１−２、１５１−３、１５１−４、１５１−５の中心点であってよい。参考点に対する空間データは、各患部１５１−１、１５１−２、１５１−３、１５１−４、１５１−５の中心点の座標値となる。そして、各患部１５１−１、１５１−２、１５１−３、１５１−４、１５１−５には、例えば、それぞれａ１２、ａ１３、ａ１４、ａ１５、ａ１６というコードが付与されてもよい。各コードａ１２、ａ１３、ａ１４、ａ１５、ａ１６は、各患部１５１−１、１５１−２、１５１−３、１５１−４、１５１−５の参考点に対する空間データ（すなわち、位置情報）、各患部１５１−１、１５１−２、１５１−３、１５１−４、１５１−５の模様及びサイズ等の情報がマッピングされてもよい。
【００５０】
＊実施形態２
患部空間情報生成部１０４は、画面に表示された二次元の患者人体図でユーザが指定した領域（すなわち、患部領域）に対する患部空間情報を生成することができる。すなわち、患者人体図は、患部領域によって二次元の平面で形成されてもよい。例えば、患部領域が身体のうち断面を表示するか、或いは展開させることができる部位（例えば、脳皮質、有腔内臓臓器、心臓、眼球網膜内部、及び脊髄等）の表面に位置する場合、患者人体図を二次元の平面で形成することができる。
【００５１】
図５は、身体の内臓臓器のうち胃に対する二次元の患者人体図を示した図である。図５を参照すると、ユーザは、ユーザインターフェース１４１を介して画面に表示された二次元の患者人体図において、患部領域を点（Point）、線（Line）、及び平面（Plane）（例えば、四角形、三角形、円、楕円、五角形、及び六角形等の二次元図形）或いはこれらの組合せ又は関係で指定することができる。図形の組合せ又は関係は、数学演算子及びプログラミング演算子を通じて示すことができる。ユーザが、直四角形という図形を通じて患部領域を指定しようとすると、直四角形の一頂点の座標（x, y）、直四角形の横及び縦の長さを入力することで、当該患部領域を指定することができる。
【００５２】
そうすれば、患部空間情報生成部１０４は、二次元の患者人体図でユーザが指定した領域に対する患部空間情報を生成する。この時、患部空間情報生成部１０４は、ユーザが指定した領域を三次元の空間座標に置換して患部空間情報を生成することができる。すなわち、二次元の患者人体図は、三次元空間上の身体部位を展開させて二次元平面で示したものであるため、患部空間情報生成部１０４は、二次元の患者人体図でユーザが指定した領域を、再度三次元の空間座標に置換して示すことができる。しかしながら、これに限定されるものではなく、患部空間情報生成部１０４は、二次元の患者人体図でユーザが指定した領域に関して、二次元空間座標の患部空間情報を生成することもできる。
【００５３】
＊実施形態３
患部空間情報生成部１０４は、患部が多層で構成される身体構造物（例えば、血管の層構造、肌の層構造、心臓の層構造、及び脳の層構造等）に位置する場合、ユーザの入力によって、患部の深さを含む患部空間情報を生成することができる。例えば、多層で構成される身体構造物に癌が発生した場合、癌が何れの層のどの深さまで転移されたのかについて示す必要がある。この時、ユーザは、ユーザインターフェース１４１を介して、患者人体図で当該患部領域を指定することができ、また、当該患部領域の断面で患部の深さを指定することができる。そうすれば、患部空間情報生成部１０４は、ユーザが指定する患部領域に対する患部空間情報を生成する際に、患部の深さに関する情報を含んで生成する。
【００５４】
＊実施形態４
患部空間情報生成部１０４は、身体のうち円筒状構造物（例えば、指、足指、上肢（すなわち、腕）、下肢（すなわち、足）、血管、及び神経等）に対して円筒状構造物の中心を通過する仮想線を形成した後、ユーザが仮想線の一部を選択して患部領域を指定すると、ユーザが選択した仮想線に対応する円筒状構造物領域全体に対する患部空間情報を生成することができる。図６は、身体中の円筒状構造物に関して患部空間情報を生成する状態を示した図である。図６を参照すると、身体中で血管Ａのような円筒状構造物の場合、患部空間情報生成部１０４は、血管Ａの中心を通過する仮想線Ｌを形成することができる。その後、ユーザが、ユーザインターフェース１４１を介して仮想線Ｌの一部又は全部を選択した場合、患部空間情報生成部１０４は、選択された仮想線Ｌに対応する円筒状構造物領域Ｂ全体に対する患部空間情報を生成する。
【００５５】
＊実施形態５
患部空間情報生成部１０４は、患部モデルデータベース１１８から所定患部モデルを抽出した後、抽出した患部モデルを当該患者に合わせて修正することで、当該患者の患部領域に対する患部空間情報を生成することができる。患部モデルデータベース１１８は、各疾病又は疾患に関して一定の形態及びサイズを有する患部領域を患部モデルとして保存する箇所である。患部モデルデータベース１１８は、当該疾病又は疾患で頻繁に発生する患部形態及びサイズを有する患部領域に対する空間情報を保存することができる。例えば、患部モデルデータベース１１８は、胃癌、胃潰瘍、椎間板ヘルニアの脱出髄核、火傷、神経腫瘍、及びにきび等のような疾病又は疾患で頻繁に発生する患部形態及びサイズを有する患部領域を患部モデルとして保存することができる。この時、各患部モデル別に固有識別番号（又は、コード）が付与されて保存されてもよい。ここで、各患部モデルは、固有識別番号が付与されるため、医者間、病院間、及び国家間で患部モデルを自由に交換若しくは共有することができる。そして、患部モデルは、少なくとも一つの医療用語とマッピングされて保存されてもよい。患部モデルが医療用語とマッピングされた場合、医療用語を入力することで当該患部モデルを容易に検索することができる。各ユーザは、自分が用いたい患部モデルを患部モデルデータベース１１８に登録することができる。また、患部モデルデータベース１１８には、各患部モデルを代表する参考点に対する空間データが当該患部モデルとマッピングされて保存されてもよい。
【００５６】
具体的に、患部空間情報生成部１０４は、患部モデルデータベース１１８でユーザが選択した患部モデルを抽出した後、抽出した患部モデルを当該患部領域に合わせて患部モデルを回転するか、或いは患部モデルの形態及びサイズ等を修正して当該患者の患部領域に対する患部空間情報を生成することができる。ここでは、患部空間情報生成部１０４が、抽出した患部モデルを当該患部領域に合わせて修正するものと説明したが、これに限定されるものではなく、抽出した患部モデルの空間情報そのものを患部空間情報として用いることもできる。例えば、所定患部モデルが当該患部領域と同一である場合、患部空間情報生成部１０４は、患部モデルデータベース１１８で当該患部モデルの空間情報を抽出し、患部空間情報として用いることができる。また、患部空間情報生成部１０４は、患部モデルデータベース１１８において、所定患部モデルを代表する少なくとも一つの参考点に対する空間データ及び前記参考点と当該患部モデルとの関係を示すマッピングデータを抽出し、当該患者の患部空間情報として用いることもできる。
【００５７】
図７は、本発明の患部空間情報生成部が、患部モデルを用いて所定患部領域に対する患部空間情報を生成する状態を示した図である。ここでは、腰椎４−５番椎間板ヘルニアに関する患部領域を指定する場合を示す。腰椎４−５番の平面図を示したところ、図面上のすべての地点のｚ座標は同一である。
【００５８】
図７の（ａ）を参照すると、患部が、スパイク状の椎間板ヘルニア片である場合、患部空間情報生成部１０４は、ユーザの命令に応じて、患部モデルデータベース１１８からスパイク状の患部モデル１６１（例えば、固有識別番号がＥ１２１２の患部モデル）を抽出することができる。患部空間情報生成部１０４は、抽出した患部モデル１６１を画面上の患部位置に表示することができる。ユーザは、抽出した患部モデル１６１をそのまま患部領域として指定することができる。患部領域は、患部モデル１６１の固有識別番号及び患部領域の中心点座標で示すことができる。例えば、患部領域は、「E1212(0.9, -1.6, 2.3)」で示すことができる。
【００５９】
図７の（ｂ）を参照すると、患部空間情報生成部１０４は、ユーザの命令に応じて患部モデル１６１を回転し、患部領域に対する患部空間情報を生成することができる。例えば、患部モデル１６１をｘ軸に３０度、ｙ軸に４５度回転させた場合、患部領域は、「E1212(0.9, -1.6, 2.3) & rotation(30, 45, 0)」で示すことができる。
【００６０】
図７の（ｃ）を参照すると、患部空間情報生成部１０４は、ユーザの命令に応じて患部モデル１６１を回転及び拡大（又は、縮小）し、患部領域に対する患部空間情報を生成することができる。例えば、患部モデル１６１をｘ軸に３０度、ｙ軸に４５度回転させて、且つ２倍拡大させた場合、患部領域は、「{E1212(0.9, -1.6, 2.3)} 2 & rotation(30, 45, 0)」で示すことができる。
【００６１】
患者医療情報生成部１０６は、患部空間情報を含んで当該患者に対する患者医療情報を生成することができる。患者医療情報生成部１０６は、患部空間情報に付加情報を組み合わせて、当該患者に対する患者医療情報を生成することができる。患者医療情報生成部１０６は、生成された患者医療情報を、表示部１０８を通じて画面に表示することができる。患者医療情報生成部１０６は、生成された患者医療情報を各患者別で患者医療情報データベース１３７に保存することができる。
【００６２】
ここで、付加情報は、患者の患部を説明する情報、患部の疾患状態及び程度を示す情報、及び患部の治療と直接的又は間接的（補助的）に関連する情報のうち少なくとも一種を含む。付加情報は、医療用語（又は、医療コード）及び参考情報のうち少なくとも一種を含んでもよい。付加情報は、付加情報データベース１２０に予め保存されてもよい。医療用語（又は、医療コード）は、付加情報データベース１２０内で医療用語データベース１２５に保存されてもよい。参考情報は、付加情報データベース１２０内で参考情報データベース１２７に保存されてもよい。以下、医療用語（又は、医療コード）、参考情報、及び患者医療情報について以下のとおり説明する。
【００６３】
医療用語（又は、医療コード）は、従来の医療用語体系（例えば、ＩＣＤ−９、ＩＣＤ１０、ＵＭＬＳ、及びＳＮＯＭＥＤ  ＣＴ等）で定義された医療用語（又は、医療コード）或いは従来の医療用語体系で定義されていない医療用語を含む。従来の医療用語体系で定義されていない医療用語は、説明文（Narrative Text）の形態で用いられてもよい。例えば、風邪を指称するものとしてＩＣＤに登録された医療用語は「Acute nasopharyngitis」である。しかしながら、「cold」、「bad cold」、「upper respiratory infection」、「cold with myalgia」のように、従来の医療用語体系では定義されていない用語を用いる場合もある。医療用語としては、例えば、身体一部領域、疾病原因、疾病、所見（Finding）、症状、診断名、解剖名称、組織構造、薬物、臓器名称、組織名称、ウイルス及び細菌等の物質、治療薬物、手術方法、特定時点（又は、時間帯）、疾病発生、事故発生、手術、出産、死亡、身体中で機能を調節する部位又は機能が調節される部位、遺伝子、物質、元素、分子、速度、質量、密度、温度、及び濃度等であってよい。しかしながら、これらに限定されるものではなく、それ以外の様々な医療用語が含まれてもよい。
【００６４】
医療用語データベース１２５において、医療用語は、所定身体空間領域とマッピングされて保存されてもよい。例えば、身体空間領域が胃を示す場合、胃という身体空間領域には、胃という臓器名称、組織名称、胃の機能、障害時の症状、手術、手術方法、及び治療薬物等の医療用語がマッピングされてもよい。患者医療情報生成部１０６は、患部空間情報が胃を示す場合、患部空間情報に、臓器名称、組織名称、胃の機能、障害時の症状、手術、手術方法、及び治療薬物等の医療用語を組み合わせて患者医療情報を生成することができる。
【００６５】
そして、ＩＣＤ１０のＫ２９．７（gastritis unspecified）という医療用語は、胃で発生した炎症を示すため、胃（stomach）という身体空間領域とマッピングされてもよい。同様に、Ｃ１６．９という医療用語は、胃癌を示すため、胃（stomach）という身体空間領域とマッピングされてもよい。また、ＳＮＯＭＥＤ  ＣＴの５４４７１０９１６という医療用語は、胃（stomach）という解剖学的構造物を意味するため、胃（stomach）という身体空間領域とマッピングされてもよい。このように、医療用語データベース１２５には、所定医療用語が所定身体空間領域とマッピングされて保存されるため、ユーザが患者人体図で所定関心領域を指定した場合、当該関心領域にマッピングされた医療用語を抽出することができる。
【００６６】
図８は、本発明の実施形態において、身体空間領域とマッピングされた医療用語を抽出する状態を示した図である。
【００６７】
図８を参照すると、ユーザがａを関心領域として選択した場合、ａという領域は、肺実質（lung parenchyma）の一部と重複するため、患者医療情報生成部１０６は、医療用語データベース１２５から、ＳＮＯＭＥＤ  ５６４４３７０１３（entire lung）、ＳＮＯＭＥＤ  ６６３６０１５（right lung）、Ｊ１２．９（viral pneumonia, unspecified）、及びＪ１２．０（adenoviral pneumonia）等の医療用語を抽出することができる。そして、ユーザがｂを関心領域として選択した場合、ｂという領域は肺実質（lung parenchyma）の一部及び気管支（trachea）と重複するため、患者医療情報生成部１０６は、医療用語データベース１２５から、ＳＮＯＭＥＤ  ５６４４３７０１３（entire lung）、ＳＮＯＭＥＤ  ６６３６０１５（right lung）、Ｊ１２．９（viral pneumonia, unspecified）、及びＪ１２．０（adenoviral pneumonia）等と併せて、ＳＮＯＭＥＤ  ５６４４３４０１８（entire trachea）、Ｄ１４．２（Benign neoplasm of trachea）等の医療用語を抽出することができる。
【００６８】
一方、身体空間領域とマッピングされた医療用語は、異なる空間情報との演算を通じて患部空間情報を設定するために用いられてもよい。例えば、身体空間領域とマッピングされた医療用語と異なる空間情報との合集合又は交集合等を通じて、患部空間情報を設定することができる。しかしながら、これらに限定されるものではなく、医療用語（すなわち、身体空間領域とマッピングされた医療用語）が指称する身体空間領域を行列変換によって回転又は位置移動し、患部空間情報を設定することもできる。
【００６９】
参考情報は、所定身体空間領域に関連し、医者又は患者に役立つ情報をいう。参考情報は、参考情報データベース１２７で所定身体空間領域とマッピングされ、保存されてもよい。参考情報としては、例えば、当該身体空間領域に示され得る疾患種類、当該身体空間領域に対する検査種類、当該身体空間領域の疾病（例えば、伝染病）が生じた地理的位置、手術の際に影響を受ける可能性がある周辺組織、手術の際に生じ得る後遺症、当該身体空間領域に関連する医学雑誌、医学論文、新聞記事、当該身体空間領域に生じた疾患に対する病院、医者、治療薬物の販売窓口、当該疾患に対する保険適用可否、医学辞書、薬物の効能、薬物の副作用、検査材料が採取される箇所、診療機器、医療機器の身体着用部位、身体一部が有する運動の方向及び回転の方向、筋肉の付属で運動が起きる順番、イントラネット又はインターネットアドレス（ＵＲＬ又はリンク情報）、及び医療情報処理システムが適用されるコンピューター上のプログラム（又は、アプリケーション）等であってよいが、これらに限定されるものではなく、その他の様々な参考情報であってよい。
【００７０】
また、患者医療情報は、患部空間情報及び付加情報のうち少なくとも一つを含んで生成されるものであり、当該患者に関して発生されるあらゆる医療情報をいう。患者医療情報の項目としては、例えば、症状（Symptom）、主訴（Chief Complaint）、診察所見（Physical Examination）、兆候（Sign）、診断名（Diagnosis）、疾病の原因、過去の病歴項目（Past History）、手術名（Operation Name）又は施術名（Procedure Name）、診療計画、各種検査、検査結果、入院記録（Admission Record）、退院記録、手術記録、経過記録、及び看護記録等であってよい。しかしながら、これらに限定されるものではなく、それ以外も当該患者に関して発生する様々な医療情報が含まれる。
【００７１】
患者医療情報を生成する場合を説明すると、医者が、医療情報処理システム１００を介して診察中の患者に関して患部空間情報を生成し、患部空間情報を含む患者医療情報を生成してよい。医者が、医療情報処理システム１００を介して仮想の患者を対象に仮想の患部に対する患部空間情報を生成し、患部空間情報を含む患者医療情報を生成してよい。潜在的（又は、予備的）患者である一般個人が、医療情報処理システム１００を介して自分の潜在患部に対する患部空間情報を生成し、患部空間情報を含む患者医療情報を生成してよい。
【００７２】
＊患者医療情報に関する実施形態
１）症状（Symptom）及び主訴（Chief Complaint）
症状は、患者が医者に「どこがどのように痛む」と訴える内容をいう。ここで、「どこが」という解剖学的な部位に該当する内容は患部空間情報を通じて示し、「どのように痛む」という内容は付加情報を通じて示すことができる。
【００７３】
２）診察所見（Physical Examination）又は兆候（Sign）
症状が患者の訴えといえば、徴候は、医者が患者を診察してから見つけた医者の所見をいう。この時、医者は「何の身体部位にどのような異常がある」といった所見を表現するようになる。ここで、「何の身体部位」という解剖学的な部位に該当する内容は、患部空間情報を通じて示し、「どのような異常」は、付加情報を通じて示すことができる。例えば、医者が胸部聴診を行い、肺のある部位から荒い呼吸音（Wheezing Sound）が聴診された時、従来では、診察記録誌に「wheezing sound on left upper anterior chest」とのみ記載する。一方、荒い呼吸音が聴診された箇所が、患者人体図ｈｕ１２１３で（1, 12, 123）の場合、患者医療情報生成部１０６は、「何の身体部位」という解剖学的な部位に該当する内容は患部空間情報、すなわち、「(1, 12, 123) in map hu1213」で示すことができる。そして、「どのような異常」という内容は、「sign: wheezing sound」という付加情報で示すことができる。前記患部空間情報と付加情報とを組み合わせれば、患者医療情報は、「sign: wheezing sound on (1, 12, 123) in map hu1213」で表現することができる。
【００７４】
３）診断名（Diagnosis）
診断名は、症状と診察所見とを通じて想到した患者の病名をいう。診断名も何の身体部位にどのような異常がある、と表現されることができることから、「何の身体部位」という解剖学的な意味は患部空間情報を通じて示し、「どのような異常」は付加情報を通じて示すことができる。
【００７５】
４）疾病の原因
疾病の原因には、細菌（Bacteria）、ウイルス（Virus）、かび（Fungus）、及び身体に流入された異物（例えば、小銭、ほこり、石、洗剤等）等がある。一般的に、特定細菌は、特定身体臓器に疾病を誘発する。例えば、脳膿瘍は、主にブドウ状球菌（Staphylococcus aureus）によって誘発され、その他にも、ストレプトコッカス・インターメディウス（Streptococcus intermedius）のような菌株が疾病の原因となる。脳膿瘍が発生した位置及びサイズが、患者人体図＃ｈｕ１５３で（1.92, 1.68, 3.2）ｓｉｚｅ３の場合、患者医療情報生成部１０６は、疾病（すなわち、脳膿瘍）が発生した解剖学的部位は患部空間情報、すなわち、「(1.92, 1.68, 3.2) size 3 in map #hu153」で示すことができる。そして、疾病原因は、「Brain abscess caused by Staphylococcus aureus」という付加情報で示すことができる。前記患部空間情報と付加情報とを組み合わせれば、患者医療情報は、「Brain abscess caused by Staphylococcus aureus at (1.92, 1.68, 3.2) size 3 in map #hu153」で表現することができる。ここで、患部空間情報である「(1.92, 1.68, 3.2) size 3 in map #hu153」にＢＡ１３８２０３８というコードを付与し、疾病原因であるブドウ状球菌にＳＡというコードを付与すれば、患者医療情報は、「Brain abscess BA1382038-SA」と簡単に表示することができる。
【００７６】
５）過去の病歴項目（Past History）
過去の病歴項目は患者が過去に罹患した疾病をいう。例えば、患者が過去のとある時期に腎臓炎を発症したことがある場合、「腎臓」という解剖学的な部位は患部空間情報で示され、「炎症」及び「腎臓炎を得た時期」は付加情報を通じて示すことができる。
【００７７】
６）手術名（Operation Name）又は施術名（Procedure Name）
医者が患者を手術した場合、手術した解剖学的な部位は患部空間情報で示され、手術種類は付加情報を通じて示すことができる。
【００７８】
図９は、本発明の患者医療情報生成部が、患部空間情報を用いて患者医療情報を生成する一実施形態を示した図である。ここでは、患者の患部が指である場合を示した。図９の（ａ）は、患者の指を示した平面図であり、図９の（ｂ）は、患者の指を示した側面図である。
【００７９】
図９を参照すると、患者の指のＡ地点からＢ地点まで切開する手術を行った場合、患者医療情報生成部１０６は、手術した解剖学的部位（すなわち、Ａ地点からＢ地点まで）は患部空間情報、例えば、「from (-1.1, 6.1, 0.88) to (-1.1, 3.7, 0.81) by map #hu 1872」で示すことができる。座標値は、ローカル座標系を用い、患者の指端の中心部分を基準点（0, 0, 0）にした。そして、手術種類は、「Incision（切開）」という付加情報を通じて示すことができる。前記患部空間情報と付加情報とを組み合わせれば、患者医療情報は、「incision was done from (-1.1, 6.1, 0.88) to (-1.1, 3.7, 0.81) by map #hu 1872」で示すことができる。患部空間情報及び手術種類にＥ１８２７８３９８というコードを付与する場合、患者医療情報は「E18278398 was done」と簡単に表現することができる。
【００８０】
なお、図１０に示したように、患者の指を切断する手術を行った場合、患者の患部空間情報は、指を切断した切り目１６４を用いて示すことができる。ここで、患部空間情報は、切り目１６４の中心座標（-0.14, 4.1, -0.42）で示すことができる。切り目１６４の中心座標は、指の切断された面の中心となるように設定することができる。具体的に、切り目１６４の中心座標（-0.14, 4.1, -0.42）を参考点として設定し、前記参考点と当該患部領域との関係をマッピングデータによって示すことができる。患者医療情報生成部１０６は、手術した解剖学的部位は患部空間情報、例えば、「(-0.14, 4.1, -0.42) by map #hu 1872」で示し、手術種類は、「amputation（切断）」という付加情報を通じて示すことができる。前記患部空間情報と付加情報とを組み合わせれば、患者医療情報は、「amputation (-0.14, 4.1, -0.42) by map #hu1872」で示すことができる。前記患者医療情報を医療用語及び患部空間情報で表現することができる。例えば、ＳＮＯＭＥＤで「amputation of finger」という意味を有する医療コード７６９５６００４を患部空間情報（(-0.14, 4.1, -0.42) by map #hu 1872）と組み合わせれば、前記患者医療情報は、「76956004 at (-0.14, 4.1, -0.42) by map #hu1872」で表現することができる。
【００８１】
７）診療計画
患者の疾患を治療するため、これから遂行すべき検査計画及び手術計画等をいう。例えば、医者は、患者の身体中の何の部位に対してどのような検査装備を用いてどのような検査を行うか等の診療計画を立てることができる。この時、何の身体部位かは患部空間情報で示すことができ、どのような検査装置及びどのような検査かは付加情報を通じて示すことができる。
【００８２】
図１１は、本発明の患者医療情報生成部が患部空間情報を用いて患者医療情報を生成する他の実施形態を示した図である。図１１の（ａ）は、患者の全身を示した患者人体図であり、図１１の（ｂ）は図１１の（ａ）における患者の患部領域を拡大して示した図である。
【００８３】
図１１を参照すると、患者の左腕の上部を、造影剤（Contrast medium）を用いてＣＴ撮影を行う計画である場合、患者医療情報生成部１０６は、ＣＴを撮影する身体部位は患部空間情報、例えば、「(1.77, -0.004, 2.78) size 0.44 by map #hu1392」で示すことができる。座標値は、全身座標系を用い、患者の両足が分かれる部分の中心点を基準点（0, 0, 0）にした。そして、造影剤を用いたＣＴ撮影という付加情報は、「CT with contrast」で示すことができる。前記患部空間情報と付加情報とを組み合わせれば、患者医療情報は、「CT with contrast at (1.77, -0.004, 2.78) size 0.44 by map #hu 1392」で示すことができる。
【００８４】
８）検査結果
医者が患者の血圧をはかる場合、血圧測定バンドの位置は、患部空間情報で表現し、血圧値は、付加情報で示すことができる。そして、各種血液検査を遂行した場合、血液検査部位等の解剖学的な位置は、患部空間情報で表現することができ、採血時間及び採血場所は、付加情報を通じて示すことができる。また、とある組織を採取して検査を遂行した場合、当該組織は患部空間情報で示し、組織検査結果は、付加情報で表現することができる。
【００８５】
図１２は、本発明の患者医療情報生成部が、患部空間情報を用いて患者医療情報を生成する更なる実施形態を示した図である。図１２の（ａ）は、患者の全身を示した患者人体図であり、図１２の（ｂ）は、図１２の（ａ）における患者の患部領域を拡大して示した図である。
【００８６】
図１２を参照すると、カフ（Cuff）を用いて患者の左腕から血圧を測定した場合、患者医療情報生成部１０６は、血圧を測定した身体部位Ｄ１を患部空間情報、例えば、「(1.44, 0.04, 2.88) by map #hu 1392」で示すことができる。座標値は全身座標系を用い、患者の両足が分かれる部分の中心点を基準点（0, 0, 0）にした。そして、カフ（Cuff）を用いた血圧測定という付加情報は、「blood pressure measurements using cuff method」で示すことができる。前記患部空間情報と付加情報とを組み合わせれば、患者医療情報は、「blood pressure measurements using cuff method at (1.44, 0.04, 2.88) by map #hu 1392」で示すことができる。前記患者医療情報を医療用語及び患部空間情報で表現することができる。例えば、ＳＮＯＭＥＤで「blood pressure measurements using cuff method」という意味を有する医療コード３７１９１１００９を、患部空間情報（(1.44, 0.04, 2.88) by map #hu 1392）と組み合わせれば、前記患者医療情報は、「371911009 at (1.44, 0.04, 2.88) by map #hu1392」で表現することができる。なお、患者の血圧は、患者の左腕で血圧を測定する位置によって、その示される結果が異なる場合がある。すなわち、血圧を測定した身体部位が互いに異なるとＤ１、Ｄ２、Ｄ３、その結果が互いに異なる可能性がある。よって、血圧を測定した身体部位Ｄ１、Ｄ２、Ｄ３を患部空間情報で示すことで、正確且つ共有が容易である患者医療情報を生成することができる。
【００８７】
本発明の実施形態は、患者医療情報に患部空間情報を含むことで、従来の医療用語体系による医療用語（又は、医療コード）を代替するか、或いはそれを補完することができる。すなわち、従来の医療用語は、身体の一部に関連して定義される場合が多い。この時、ある医療用語が有する意味のうち身体の一部を指称する部分（例えば、解剖学的な用語）は、患部空間情報で表現し、それ以外の部分（例えば、疾患の特性及び種類のような患部に対する説明部分等）は、付加情報で表現することができる。
【００８８】
このように、空間情報を含んでいないＩＣＤ（International Classification of Diseases）、ＵＭＬＳ（Unified Medical Language System）、ＳＮＯＭＥＤ  ＣＴ（Systematized Nomenclature of Medicine-Clinical Terms）、ＣＤＴ（Code on Dental Procedures and Nomenclature）、Classification of Death and Injury Resulting from Terrorism、ＣＰＴ（Current Procedural Terminology）、ＤＲＧｓ（Diagnosis-Related Groups）、ＤＳＭ（Diagnostic and Statistical Manual of Mental Disorders）、ＨＣＰＣＳ（Healthcare Common Procedure Coding System）、ＨＣＵＰ（Healthcare Cost and Utilization Project）、ＨＬ７（Health Level Seven）、ＩＣＦ（International Classification of Functioning, Disability and Health）、ＬＯＩＮＣ（Logical Observation Identifier Names and Codes terminology）、Newborn Screening Coding and Terminology Guide、及びＲｘＮｏｒｍ（Medication Codes）等の従来の医療用語体系において、医療用語が有する意味のうち位置、模様、及びサイズ等の解剖学的な概念を患部空間情報に代置した後、付加情報と組み合わせて患者医療情報を生成することで、従来の医療用語体系では分かり難い医療用語間の空間的相互関係を直観的に理解することができる。例えば、胃炎を意味する「gastritis」なる医療用語の中から、解剖学的な概念である「stomach（胃）」は、患部空間情報で表現し、「inflammation（炎症）」は、付加情報で表現することができる。
【００８９】
患者医療情報生成部１０６は、（１）患部空間情報のみを用いて当該患者に対する患者医療情報を生成するか、或いは（２）患部空間情報及び付加情報を組み合わせて当該患者に対する患者医療情報を生成することができる。ここで、患者医療情報は、患部空間情報を含むことで、従来の医療用語体系に代えることもでき、従来の医療用語体系の補助として用いることもできる。患者医療情報生成部１０６は、患者医療情報の一部（例えば、患部空間情報若しくは付加情報）又は全体にコードを付与することができる。当該コードには、それに対応する患者医療情報がマッピングされて保存されてもよい。
【００９０】
（１）患部空間情報のみを用いて患者医療情報を生成する場合
患者医療情報生成部１０６は、患者の患部領域に対する患部空間情報と、人体図のうち前記患部領域と対応する身体領域の空間情報とを比較した結果に応じて患者医療情報を生成することができる。この時、患者医療情報生成部１０６は、人体図データベース１１６から患者の性別、年齢、身長、地域、及び解剖学的変異等の患者情報に対応される人体図を抽出した後、患者の患部領域に対する患部空間情報と、抽出した人体図のうち前記患部領域と対応する領域の空間情報とを比較することができる。
【００９１】
＊実施形態１
患者を検査した結果、ある身体臓器に腫瘍（又は、こぶ）が生じて検査結果を表現する場合、患部空間情報生成部１０４は、患者人体図でユーザが指定した領域（すなわち、腫瘍が発生した領域）に対する患部空間情報を発生させることができる。この時、患者人体図で腫瘍（又は、こぶ）が生じた部分を、人体図（例えば、人体図データベースに保存された人体図のうち、当該身体領域が正常であり、且つ患者情報に対応される人体図）における当該身体領域と比較すると、患者人体図で腫瘍（又は、こぶ）が生じた部分は、人体図中で当該身体領域にはなかった部分が新たにできたものであるため、患者医療情報生成部１０６は、患部空間情報を通じて当該身体臓器の当該部分に腫瘍（又は、こぶ）が生じたことが分かる。
【００９２】
すなわち、図１３に示されたように、身体臓器の表面に腫瘍が生じた場合、患者人体図で腫瘍が生じた部分を人体図における当該身体領域と比較すると、患者人体図で腫瘍の生じた部分は、基準点が人体図の当該身体臓器の表面から腫瘍に相応する形状で外方に移動したことが確認される。この場合、患者医療情報生成部１０６は患部空間情報のみであり、当該身体臓器の特定部分に腫瘍が生じたという患者医療情報を生成することができる。ここで、身体臓器に腫瘍が生じたという事実を患部空間情報によって表現すると、単に当該身体臓器に腫瘍が生じたという事実のみならず、腫瘍が生じた位置、腫瘍の成長方向、及び腫瘍のサイズ等に関する情報が詳細に分かる。
【００９３】
＊実施形態２
患者の左手親指が切断された場合、患部空間情報生成部１０４は、患者人体図でユーザが指定した領域（例えば、左手）に対する患部空間情報を発生させることができる。この時、患者人体図で親指が切断された左手を、人体図（例えば、人体図データベースに保存された人体図のうち、当該身体領域が正常であり、且つ患者情報に対応される人体図）の左手と比較すると、人体図で親指のあるべき箇所が、患者人体図の患部領域にはないため、患者医療情報生成部１０６は、左手に対する患部空間情報を通じて左手の親指が切断されたことが分かる。
【００９４】
すなわち、図１４に示されたように、左手の親指が切断された場合、患者人体図で右手親指部分を人体図における当該身体領域と比較すると、患者人体図における左手親指部分は、基準点が、人体図の当該身体領域の表面から左手親指の切断された形態に相応する形状で内側に移動したことが確認される。この場合、患者医療情報生成部１０６は、患部空間情報のみで、患者の左手親指が切断されたという患者医療情報を生成することができる。このように、身体のいずれか一部（例えば、指、足指、耳、手、及び足等）が切断された場合、当該身体部分に対する患部空間情報のみで患者医療情報を生成することができる。
【００９５】
また、身体中のある臓器が、とある臓器と付着又は癒合された場合（例えば、腰椎椎体間癒合又は脛骨（tibia）と踵骨（calcaneus）との癒合等）、患者人体図の患部領域と、人体図（例えば、人体図データベースに保存された人体図のうち、当該身体領域が正常であり、且つ患者情報に対応される人体図）の当該身体領域とを比較すると、人体図では当該臓器が互いに離れているのに対し、患者人体図の患部領域では当該臓器が互いに付着されているので、患者医療情報生成部１０６は、当該身体部分に対する患部空間情報のみで、当該臓器が互いに付着されているという患者医療情報を生成することができる。また、それと同様に、身体一部が骨折されるか、或いは身体中のある臓器が割れた場合等であっても、当該身体部分に対する患部空間情報のみで患者医療情報を生成することができる。
【００９６】
＊実施形態３
患者の脊椎に側弯症がある場合、患部空間情報生成部１０４は、患者人体図でユーザが指定した領域（例えば、脊椎）に対する患部空間情報を発生させることができる。患者人体図で側弯症がある脊椎を、人体図（例えば、人体図データベースに保存された人体図のうち、当該身体領域が正常であり、且つ患者情報に対応される人体図）の脊椎と比較すると、患者人体図の側弯症のある脊椎は、人体図の正常な脊椎と比較して、各腰椎の位置が移動されている。
【００９７】
図１５は、患者人体図の側弯症がある脊椎と人体図の正常な脊椎とを比較した図である。図１５を参照すると、患者医療情報生成部１０６は、人体図の正常な脊椎（図１５の（ａ））で各脊椎分節１６７を基準にして、患者人体図（図１５の（ｂ））のそれに対応する脊椎分節１６７がどの程度移動、回転したかに関する患部空間情報のみで、患者の脊椎が何の方向にどの程度曲がっているという患者医療情報を生成することができる。
【００９８】
（２）患部空間情報及び付加情報を組み合わせて患者医療情報を生成する場合
患者医療情報生成部１０６は、患部空間情報と、ユーザの命令に従って付加情報データベース１２０から抽出した付加情報とを組み合わせて当該患者に対する患者医療情報を生成することができる。患者医療情報生成部１０６は、少なくとも一つの患部空間情報及び少なくとも一つの付加情報を組み合わせて患者医療情報を生成することができる。ここで、付加情報は、医療用語及び参考情報のうち少なくとも一つを含む。
【００９９】
＊実施形態１
医者が、患者の疾患が腰椎１−２部位に発生した椎間板ヘルニアと判断される旨の診断を下そうとする場合、患部空間情報生成部１０４は、患者人体図でユーザが指定した領域（すなわち、腰椎１−２部位）に対する患部空間情報を発生させることができる。そして、患者医療情報生成部１０６は、ユーザの命令に従って付加情報データベース１２０から「ヘルニア形成（Herniation）」という医療用語を抽出した後、患部空間情報と「ヘルニア形成（Herniation）」とを組み合わせて「腰椎１−２部位に椎間板ヘルニアが形成される」という内容の診断名を患者医療情報として生成することができる。この場合、患者医療情報を通じて患者の患部位置を正確且つ細密に表現することができる。また、患部空間情報を通じて腰椎１−２部位で椎間板ヘルニアがどの方向にどの程度形成されたのか等に関する患者の患部状態を正確且つ細密に表現することができる。
【０１００】
すなわち、従来の医療用語体系であるＩＣＤ１０によれば、疾病分類コードＭ５１．０によって腰椎椎間板ヘルニアを表現することができる。しかしながら、腰椎は、１−２、２−３、３−４、４−５、及び５−仙椎１等、その部位によって複数存在するので、単にＭ５１．０のコードのみでは腰椎のうちどの部位に椎間板ヘルニア疾患が発生したか、また椎間板ヘルニア疾患の状態は如何であるかに対して詳細に表現することができないといった限界がある。その一方で、本発明の実施形態は、患者医療情報に患部空間情報を含ませることで、患部位置及び患部状態を正確且つ細密に表現することができる。
【０１０１】
＊実施形態２
医者が、患者の疾患が肺の一部に発生した肺炎と判断される旨の診断を下そうとする場合、患部空間情報生成部１０４は、患者人体図でユーザが指定した領域（すなわち、肺炎が発生した肺の特定領域）に対する患部空間情報を発生させることができる。そして、患者医療情報生成部１０６は、ユーザの命令に従って付加情報データベース１２０から「炎症（Inflammation）又は感染（Infection）」という医療用語を抽出した後、患部空間情報と「炎症又は感染」とを組み合わせて「肺の特定部位（すなわち、炎症が発生した領域）に炎症又は感染が発生した」という内容の診断名を患者医療情報として生成することができる。この場合、炎症が発生した肺の位置及び炎症のサイズを正確且つ細密に表現することができるため、診断機器及び医学発達に応じて患者医療情報を精緻に表現することができる。
【０１０２】
すなわち、肺炎患者をＣＴ等で撮影して検査を行うと、肺のどの部分に肺炎が発生したかを精緻に確認することができるが、従来の医療用語体系であるＩＣＤ１０によれば、肺炎をＪ１１という一種の医療コードのみで表現するので、診断機器及び医学発達による医療情報を後押しできない側面がある。その一方で、本発明の実施形態では、患部空間情報及び付加情報を合成して患者医療情報を生成することで、患者医療情報を精緻に表現することができる。
【０１０３】
なお、本発明の実施形態で生成又は用いられるデータ（例えば、患部空間情報、患者医療情報、及び付加情報等）がデータベースに保存される形態は特に限定されない。患者医療情報を患者医療情報データベース１３７に保存する場合、データベースの一フィールド内に患者医療情報の全データを保存することもでき、患者医療情報の各要素をデータベースの一フィールド（又は、コラム）にそれぞれ保存することもできる。例えば、患者医療情報に対する実施形態のうち診察所見及び徴候において、患者医療情報は「(1, 12, 123)」、「map hu1213」、「wheezing sound」、「sign」等の要素で区分することができる。この時、患者医療情報の各要素をデータベースのフィールドにそれぞれ保存するか、或いは一つ以上の要素（又は、すべての要素）を組み合わせてデータベースのフィールドに保存することができる。各データベースのフィールドに対して固有識別コードが付与され、当該フィールドに保存された要素に代置することができる。
【０１０４】
表示部１０８は、撮影検査機器によって患者を撮影した二次元映像を画面に表示することができる。この時、患者人体図形成部１０２は、ユーザインターフェース１４１を介したユーザの入力によって、複数の二次元映像の映像処理を行い、三次元患者人体図を形成することができる。また、表示部１０８は、人体図データベース１１６から抽出した人体図を画面に表示することができる。この時、患者人体図形成部１０２は、人体図を患者に合わせて修正して患者人体図を形成することができる。
【０１０５】
表示部１０８は、ユーザインターフェース１４１を介したユーザの入力によって、所定患者人体図を画面に表示することができる。この時、表示部１０８は、ユーザの入力によって患者人体図で所定身体領域のみを画面に表示することができる。例えば、血管外科医者であるユーザが患者人体図で腹部大動脈を診ようとする場合、腹部大動脈前方に内臓があれば、腹部大動脈の血管を正確に確認することが困難になる。この時、表示部１０８は、ユーザの入力によって患者人体図でユーザが診ようとする身体部位である腹部大動脈のみを画面に表示することができる。表示部１０８は、ユーザインターフェース１４１を介して入力された解剖学的名称又は組織の名称に対応する身体部位のみを画面に表示することができる。表示部１０８は、医療用語によって予め設定された身体部位を画面に表示することができる。また、表示部１０８は、ユーザがユーザインターフェース１４１を介して階層構造（Hierarchy）における所定階層の筋を選択すると、当該筋に該当する身体部位のみを画面に表示することもできる。
【０１０６】
また、表示部１０８は、患者人体図をユーザが予め設定した少なくとも一つの視野角で画面に表示することができる。すなわち、ユーザは、患者人体図に対して所定患部領域を容易に確認することができる、少なくとも一つの視野角を予め設定しておくことができる。ここでは、ユーザが、視野角を予め設定することで説明したが、これに限定されるものではなく、システムによって既に視野角が設定されていてもよい。
【０１０７】
表示部１０８は、ユーザが当該患者人体図を選択する場合、前記患者人体図を前記患者人体図に設定された視野角で画面に表示する。既設定された視野角が複数の場合、表示部１０８は、当該患部領域を複数の視野角から同時に画面に表示することができる。ユーザ又はシステムは、医療用語に対して視野の数及び視野の角度を設定することができる。表示部１０８は、ユーザから医療用語の入力を受けると、当該医療用語に対して設定された視野の数及び視野の角度どおり、当該患部領域を画面に表示することができる。
【０１０８】
図１６は、本発明の表示部が、患者人体図に設定された視野角で患者人体図を画面に表示した状態を示した図である。
【０１０９】
図１６を参照すると、肺を含む患者人体図を表示部１０８上に表示する場合、表示部１０８は、ユーザの命令に従って図１６の（ａ）、（ｂ）、及び（ｃ）に示されたように、様々な視野角（第１の視野角、第２の視野角、及び第３の視野角）で患者人体図を画面に表示することができる。ここで、図１６の（ａ）が肺の病変を確認するのに最も適していると判断される場合、ユーザは、当該患者人体図に対して図１６の（ａ）で表示された視野角（すなわち、第１の視野角）を予め設定しておくことができる。表示部１０８は、ユーザが当該患者人体図を選択する場合、前記患者人体図を図１６の（ａ）に表示された視野角で画面に表示する。この時、表示部１０８は、ユーザの命令に従って、当該患者人体図から肋骨及び心臓を除いて肺部位のみを画面に表示することができる。
【０１１０】
表示部１０８は、患部空間情報生成部１０４が生成した患部空間情報を画面に表示することができる。表示部１０８は、患者医療情報生成部１０６が生成した患者医療情報を画面に表示することができる。この場合、ユーザ（例えば、医者）は、画面に表示された患者医療情報を見て患者の状態を確認することができる。ここで、患者医療情報には、患部空間情報が含まれることで患者の患部領域が細密に表現されているため、医者は、患者の状態をより正確に理解することができる。また、表示部１０８は、検索部１１０の検索結果を画面に表示することができる。
【０１１１】
検索部１１０は、ユーザが所定の身体空間領域を入力する場合、入力を受けた身体空間領域とマッピングされた付加情報を付加情報データベース１２０から抽出して画面に表示する。この時、ユーザは、ユーザインターフェース１４１を介して様々な検索条件を組み合わせるようにする演算命令を入力することができる。そうすれば、検索部１１０は、ユーザが入力する検索条件に符合する付加情報を付加情報データベース１２０から抽出し、画面に表示することができる。
【０１１２】
例えば、医者が所定患部領域を手術する時、その手術によって影響を受ける周辺組織、機能、及び余病等を確認する必要がある。この時、従来の医療用語体系の医療用語（又は、医療コード）のみでは、患部の周辺組織が何であるか確認することが不可能であるが、本発明の実施形態では、患部空間情報を活用することで患部の周辺組織が何であるか確認することができる。例えば、医者が、手術が必要な患部領域を指定し、当該患部領域を手術する際に影響を受ける周辺組織、機能、及び余病を検索条件として入力すれば、検索部１１０は、付加情報データベース１２０から当該検索条件に符合する付加情報を抽出して画面に表示することができ、医者がこれを直接診て確認することができる。
【０１１３】
すなわち、手術を施す場合、通常的に患部周辺の臓器が患部よりも広い範囲で露出され、損傷を受けるようになる。この時、患部空間のサイズを拡大するか、或いは患部周辺で関心領域（Volume of Interest）を拡大して患部周辺の臓器を確認することで、手術の際に露出する臓器を検索することができる。また、検索部１１０を通じて、該当手術の際に影響を受ける周辺組織、当該手術の際に生じ得る後遺症等を検索して画面に表示することができる。この場合、医者は、手術の際に影響を及ぼす臓器を直接確認することができるのみならず、手術の際に露出する臓器、臓器の機能、及び臓器が損傷される場合生じる後遺症等を検索して画面に表示することができる。医者は、患者人体図を通じて所定患部領域を指定して入力することができる。他の例として、医者が、所定患部領域と当該患部領域に関して必要な検査を検索条件として入力する場合、検索部１１０は、付加情報データベース１２０から当該検索条件に符合する付加情報を抽出し、画面に表示することができる。
【０１１４】
図１７は、本発明の検索部が、患部周辺の関心領域を拡大して患部周辺の臓器を確認する状態を示した図である。
【０１１５】
図１７を参照すると、患者の肺に生じた腫瘍１７１を除去する際に生じる問題を確認したい場合、ユーザは、ユーザインターフェース１４１を介して患部周辺で関心領域１７８を拡大することができる。ここで、ユーザが、腫瘍１７１除去の際に影響を受ける周辺組織及び余病を検索条件として入力すれば、検索部１１０は、関心領域１７８に該当する部位、すなわち、腫瘍１７１の下に位置する肝臓（liver）１７４及び腫瘍１７１の側部に位置する心臓１７７に関する情報を検索して、画面に表示することができる。検索結果、肝臓（liver）１７４という領域に、参考情報として手術余病又は手術前確認事項がマッピングされている場合、検索部１１０は、前記手術余病又は手術前確認事項を参考情報データベース１２７から抽出して画面に表示する。
【０１１６】
本発明の実施形態によると、付加情報が空間座標情報で表示される患部領域とマッピングされているため、身体臓器のうちいずれの部分に関しても、各種付加情報が分かるようになる。例えば、脳全体ではなく脳の一部領域の診断のために必要な検査が何であるかを調べる場合、従来の医療用語体系では、診断を要する部位を正確に特定することが困難であるため、当該部位の診断のために必要な検査が何であるかを知らせることが難い反面、本発明の実施形態では、脳の一部領域に対する患部空間情報を通じて診断を要する部位を正確に特定することができ、付加情報が当該患部空間情報とマッピングされているため、当該部位の診断のために必要な検査が何であるかを容易に知らせることができる。
【０１１７】
その他にも、患者が身体部位別に各種の健康保険に加入している場合、所定患部領域に関して保険の給付を受けることができるか否か、所定患部領域に関して有名な専門医が誰であるか、所定患部領域に関する最新手術法が紹介された論文が何であるか、所定患部領域を治療するために役立つ健康食品は何であり、その健康食品の販売処はどこであるか、等に関する様々な付加情報を検索することができる。例えば、膝関節が良くない患者が、膝周辺を関心領域として指定すれば、検索部１１０は、参考情報データベース１２７から膝関節に有用なグルコサミン（glucosamine）が紹介されたウェブページの住所（http://somepage.com/info_page.asp?info_item=glucosamine）又はグルコサミンを販売するインターネットショッピングモールのアドレス（http://someshops.com/item.html?item=glucosamine）を検出して画面に表示するか、或いは当該ウェブページのアドレスがリンクされた画面を表示することができる。
【０１１８】
医療用語変換部１１２は、患者医療情報（患部空間情報を含む）を従来の医療用語体系で用いる医療用語に変換する役割を果たす。例えば、患者医療情報を従来の医療用語体系のみを用いる外部装置に転送する場合、又は政府で公共保健資料を収集する時、医療情報を従来の医療用語体系による医療用語のみで受信を受ける場合等において、患者医療情報を従来の医療用語体系で用いる医療用語に変換する必要がある。
【０１１９】
図１８は、消化器のうち胃の一部に癌が発症した状態を概略的に示した図である。図１８を参照すると、癌が発症した患部領域は、消化器ｂのうち胃ｂ−１の内部から胃の底部ｂ−１−１及び胃の体部ｂ−１−２にかけて示している。この時、患者医療情報は、「患部空間情報＋癌」で表現することができる。ここで、医療用語変換部１１２は、患部領域を全部又は一部含む身体空間領域とマッピングされた医療用語と、患部領域と隣接（接触するか、或いは近隣に位置）した身体空間領域とマッピングされた医療用語と、患部領域を排除した身体空間領域とマッピングされた医療用語とのうち少なくとも一つを医療用語データベース１２５から抽出することができる。
【０１２０】
具体的に、医療用語変換部１１２は、医療用語データベース１２５から患部領域を一部含む胃の底部ｂ−１−１及び胃の体部ｂ−１−２とマッピングされた医療用語を抽出することができる。例えば、医療用語変換部１１２は、胃の底部ｂ−１−１に関する医療用語である、Ｃ１６．１（ICD 10, malignant neoplasm of fundus of stomach）等を抽出することができる。そして、医療用語変換部１１２は、胃の体部ｂ−１−２に関する医療用語である、Ｃ１６．２（ICD 10, malignant neoplasm of body of stomach）、８０８４０９０１８（SNOMED CT, gastric corpus of structure）、８３５４５６０１７（SNOMED, benign neoplasm of body of stomach）等を抽出することができる。医療用語変換部１１２は、医療用語データベース１２５から患部領域を全て含む胃ｂ−１及び消化器ｂとマッピングされた医療用語を抽出することができる。例えば、医療用語変換部１１２は、胃ｂ−１に関する医療用語である、Ｃ１６．９（ICD 10, malignant neoplasm of stomach, unspecified）、５６４４７１０１６（SNOMED CT, entire stomach）等を抽出することができる。そして、医療用語変換部１１２は、消化器ｂに関する医療用語である、２４６８８５７０１２（SNOMED CT, disorder of digestive system）、Ｋ２９．９（ICD 10, diseases of digestive system, unspecified）等を抽出することができる。
【０１２１】
ここで、医療用語変換部１１２は、患者医療情報を前記抽出した医療用語の中からいずれか一つ（例えば、Ｃ１６．１（ICD 10, malignant neoplasm of fundus of stomach）又はＣ１６．２（ICD 10, malignant neoplasm of body of stomach）に変換することができる。例えば、医療用語変換部１１２は、患者医療情報を前記抽出した医療用語の中からユーザが選択した医療用語又はランダムに選択された医療用語に変換することができる。
【０１２２】
この時、医療用語変換部１１２は、抽出した医療用語がマッピングされた空間領域のサイズ（dimension）（高さ、幅、長さ、及び嵩を含む）の程度及び抽出した医療用語がマッピングされた空間領域と患部領域との空間関係のうち少なくとも一つによって抽出した医療用語の中からいずれか一つを選択することができる。例えば、医療用語変換部１１２は、抽出した医療用語の中からマッピングされた空間領域が患部領域と一番広い範囲で重複する医療用語（すなわち、胃の体部ｂ−１−２とマッピングされた医療用語）を選択することができる。
【０１２３】
なお、医療用語変換部１１２は、ユーザが設定する変換条件によって患者医療情報を医療用語に変換することができる。具体的に、医療用語変換部１１２は、患部領域を全部又は一部含む身体空間領域とマッピングされた医療用語と、患部領域と隣接した身体空間領域とマッピングされた医療用語と、患部領域を排除した身体空間領域とマッピングされた医療用語とのうち少なくとも一つを医療用語データベース１２５から抽出した後、患者医療情報を抽出した医療用語の中からユーザが入力した変換条件を満たす医療用語に変換することもできる。例えば、医療用語変換部１１２は、医療用語データベース１２５から抽出した医療用語の中で「cancer」又は「malignant」又は「Ｃで始まる医療コード」（ＩＣＤの場合、癌はＣで始まるため）といった変換条件を満たす医療用語を選択して、患者医療情報を従来の医療用語体系で用いる医療用語に変換することができる。
【０１２４】
通信部１１４は、患者医療情報を外部装置に転送することができる。この時、通信部１１４は、患者医療情報のうち患部空間情報のみを別に外部装置に転送することもできる。通信部１１４は、患部空間情報そのものを外部装置に転送することもできるが、患部空間情報データベース１３５で当該患部空間情報が保存されている住所情報（又は、コード）のみを外部装置に転送することもできる。この場合、外部装置は、通信部１１４から受信した住所情報を通じて患部空間情報データベース１３５に接続し、当該患部空間情報を抽出することができる。また、通信部１１４は、医療用語変換部１１２で変換された医療用語を外部装置に転送することができる。ここで、外部装置は、病院内の他の電子装置であってもよく、他の病院又は他の機関に設置された電子装置であってもよい。
【０１２５】
例えば、所定患者に対する患部空間情報を生成するために人体図が用いられた場合、通信部１１４は、患者医療情報を外部装置に転送する時、当該標準人体図の固有識別番号を共に転送することができる。ここで、通信部１１４は、当該標準人体図そのものを外部装置に転送することもできる。また、患部空間情報の生成において、患者を撮影した映像を通じて形成した患者人体図を用いた場合、通信部１１４は、患者医療情報を外部装置に転送する時、当該患者人体図を共に転送することができる。
【０１２６】
患者医療情報処理部１１５は、既に生成された患者医療情報を解釈して画面に表示することができる。具体的に、患者医療情報処理部１１５は、生成された患者医療情報のうち患部空間情報を解釈し、患者人体図データベース１３３から患部空間情報が生成された患者人体図を抽出することができる。患者医療情報処理部１１５は、前記患部空間情報に含まれた患者人体図の固有識別番号を用いて、当該患者人体図を抽出することができる。患者医療情報処理部１１５は、抽出した患者人体図を画面に表示した後、当該患部空間情報に該当する患部領域を表示することができる。患部空間情報が、複数の空間が演算子で組み合わされている場合、患者医療情報処理部１１５は、複数の空間に関して当該演算を遂行し、患部領域を表示することができる。患部空間情報にコードが付与される場合、患者医療情報処理部１１５は、患部空間情報データベース１３５から当該コードにマッピングされた情報を抽出し、患部領域を表示することができる。
【０１２７】
患者医療情報処理部１１５は、既に生成された患者医療情報を修正することができる。患者医療情報処理部１１５は、患者医療情報が生成された後、患者の状態に変化が生じた場合、既に生成された患者医療情報を修正することができる。例えば、患者医療情報が生成された後、患者の腫瘍が大きくなるか、或いは炎症が悪化した場合、患者医療情報処理部１１５は、患者の状態に応じて既に生成された患者医療情報を修正することができる。患者医療情報処理部１１５は、修正された患者医療情報を患者医療情報データベース１３７に保存することができる。
【０１２８】
人体図データベース１１６には、性別（すなわち、男性又は女性）、年齢別、身長別（すなわち、背丈）、地域別（又は、国家別）、及び解剖学的変異基準等で人体図が保存される。この時、人体図データベース１１６には、全身体のみならず、身体一部に対する人体図が保存されてもよい。そして、各人体図は、固有識別番号（又は、固有識別コード）がマッチングされて保存されてもよい。
【０１２９】
患部モデルデータベース１１８は、各疾病又は疾患に関して一定の形態及びサイズを有する患部領域を患部モデルとして保存する。この時、患部モデルデータベース１１８は、当該疾病又は疾患で頻繁に発生する患部形態及びサイズを有する患部領域に対する空間情報を保存することができる。各患部モデルは、固有識別番号（又は、コード）がマッチングされて保存されてもよい。患部モデルは、少なくとも一つの医療用語とマッピングされて保存されてもよい。患部モデルデータベース１１８には、各患部モデルを代表する参考点に対する空間データが当該患部モデルの固有識別番号とマッチングされて保存されてもよい。
【０１３０】
付加情報データベース１２０は、各種付加情報が保存される。付加情報データベース１２０は、医療用語データベース１２５及び参考情報データベース１２７を備える。医療用語データベース１２５には、従来の医療用語体系（例えば、ＩＣＤ−９、ＩＣＤ１０、ＵＭＬＳ、及びＳＮＯＭＥＤＣＴ等）で定義された医療用語が保存される。参考情報データベース１２７には、所定身体空間領域と連関されて医者又は患者に役立つ情報が保存される。参考情報データベース１２７には、参考情報が所定身体空間領域とマッピングされ保存される。
【０１３１】
患者データベース１２２には、各患者別で患者に関する情報が保存される。患者データベース１２２は、患者情報データベース１３１と、患者人体図データベース１３３と、患部空間情報データベース１３５と、患者医療情報データベース１３７とを備える。患者情報データベース１３１には、各患者別に患者情報（例えば、姓名、年齢、性別、身長、体重、住所、保護者姓名、住民登録番号、メールアドレス、及びチャート番号等）が保存される。患者人体図データベース１３３には、各患者別に患者人体図が保存される。患部空間情報データベース１３５には、各患者別に患部空間情報が保存される。この時、患部空間情報データベース１３５には、各患部空間情報による患部領域を代表する少なくとも一つの参考点に関する空間データが当該患部領域とマッピングされて保存されてもよい。上述したように、患部空間情報生成部１０４は、生成された患部空間情報を患部モデルデータベース１１８に保存することができるため、患部空間情報データベース１３５及び患部モデルデータベース１１８は、一つのデータベース機器として具現することもできる。患者医療情報データベース１３７には、各患者別に患者医療情報が保存される。
【０１３２】
本発明の実施形態によると、患部領域に対する患部空間情報を含んで患者医療情報を生成することで、従来の医療用語体系では表現することができなかった患者医療情報を正確且つ細密に表現することができる。それによって、患者の状態を評価する際に、医者の主観の介入を最小限に抑え、より客観的な評価を下すことができる。
【０１３３】
そして、従来の医療用語体系による患者医療情報の模糊性を低減し、それによって患者医療情報を他の医療機関に伝達する過程において発生する誤解の恐れを低減することができ、医療機関の間で患者医療情報を交換する際の相互運用性（Interoperability）を向上させることができる。
【０１３４】
また、患部空間情報及び医療用語を組み合わせて患者医療情報を生成することで、従来の医療用語体系を補い、且つ医療情報処理能力を向上させることができる。
【０１３５】
また、従来の医療用語体系を補助するか、或いは代わりに医者間、病院間、国家間等の情報交換に用いることができ、その場合、従来の解剖学的な概念を語源に基づいたコードに変換しなければならなかった手間を低減するのみならず、医療用語又はコードでは描写が困難であった医療情報を自由に表現することができる。
【０１３６】
また、所定の患部領域と付加情報（医療用語及び参考情報）とをマッピングして保存することで、医療情報処理システムにおいて様々な演算に基づく人工知能を発揮させることができ、人工知能の判断能力を向上させることができる。すなわち、患部空間情報を通じて身体領域内における身体臓器又は組織間の距離の遠近、患部のサイズ、患部領域内に所定身体臓器若しくは組織が含まれるか否か等を表現することができるため、様々な論理を備えた人工知能を具現することができる。
【０１３７】
以上、代表的な実施形態を通じて本発明について詳細に説明したが、本発明が属する技術分野における通常の知識を有する者は、詳述した実施形態について本発明の範疇から外れない範囲内で様々な変形が可能であることを理解しなければならない。従って、本発明の権利範囲は説明された実施形態に限定して定めるべきではなく、後述する特許請求の範囲のみならず、この特許請求の範囲と均等なもの等によって定められるべきである。
【符号の説明】
【０１３８】
１００：医療情報処理システム
１０２：患者人体図形成部
１０４：患部空間情報生成部
１０６：患者医療情報生成部
１０８：表示部
１１０：検索部
１１２：医療用語変換部
１１４：通信部
１１５：患者医療情報処理部
１１６：人体図データベース
１１８：患部モデルデータベース
１２０：付加情報データベース
１２２：患者データベース
１２５：医療用語データベース
１２７：参考情報データベース
１３１：患者情報データベース
１３３：患者人体図データベース
１３５：患部空間情報データベース
１３７：患者医療情報データベース
【図１】
0006335176.tif 000002
【図２】
0006335176.tif 000003
【図３（ａ）】
0006335176.tif 000004
【図３（ｂ）】
0006335176.tif 000005
【図３（ｃ）】
0006335176.tif 000006
【図４】
0006335176.tif 000007
【図５】
0006335176.tif 000008
【図６】
0006335176.tif 000009
【図７】
0006335176.tif 000010
【図８】
0006335176.tif 000011
【図９（ａ）】
0006335176.tif 000012
【図９（ｂ）】
0006335176.tif 000013
【図１０（ａ）】
0006335176.tif 000014
【図１０（ｂ）】
0006335176.tif 000015
【図１１】
0006335176.tif 000016
【図１２（ａ）】
0006335176.tif 000017
【図１２（ｂ）】
0006335176.tif 000018
【図１３】
0006335176.tif 000019
【図１４】
0006335176.tif 000020
【図１５】
0006335176.tif 000021
【図１６】
0006335176.tif 000022
【図１７】
0006335176.tif 000023
【図１８】
0006335176.tif 000024